(57)【要約】本開示は、耐衝撃性の改善と小型化をより実現できるレンズ鏡筒及び撮像装置を提供する。レンズ鏡筒は、回転規制リブが設けられるガイド枠と、回転規制リブの外側で係合される第１ガイド部を有し、回転規制リブによって相対的な回転が規制され、光軸方向の移動が可能な１群枠と、回転規制リブの内側で係合される第２ガイド部を有し、回転規制リブによって相対的な回転が規制され、光軸方向の移動が可能な２群枠と、を備える。また、１群枠の外周面には、カムピンが形成され、カムピンは、１群枠の外周に設けられるカム筒に係合する。
2015049813.tif 000002
【特許請求の範囲】
【請求項１】
回転規制リブが設けられるガイド枠と、
前記回転規制リブの外側で係合される第１ガイド部を有し、前記回転規制リブによって相対的な回転が規制され、光軸方向の移動が可能な１群枠と、
前記回転規制リブの内側で係合される第２ガイド部を有し、前記回転規制リブによって相対的な回転が規制され、光軸方向の移動が可能な２群枠と、
を備えるレンズ鏡筒。
【請求項２】
前記１群枠の外周面には、カムピンが形成され、
前記カムピンは、前記１群枠の外周に設けられるカム筒に係合される、
請求項１に記載のレンズ鏡筒。
【請求項３】
前記回転規制リブ、前記第１ガイド部、前記第２ガイド部、及び、前記カムピンは、略同位相に設けられる、
請求項２に記載のレンズ鏡筒。
【請求項４】
前記１群枠の外周面に第１カムピンが設けられ、
前記２群枠の外周面に第２カムピンが設けられ、
前記第１カムピンと前記第２カムピンは、前記１群枠の外周側に設けられるカム筒に係合し、
前記第１カムピンと前記第２ガイド部は略同位相に設けられ、
前記第２カムピンは、前記第２ガイド部を形成する壁に設けられる、
請求項１に記載のレンズ鏡筒。
【発明の詳細な説明】
【技術分野】
【０００１】
本開示は、撮像装置に用いられるレンズ鏡筒に関する。
【背景技術】
【０００２】
特許文献１は、耐衝撃性を改善し、かつ、小型化にも対応可能なレンズ鏡筒を開示する。特許文献１のレンズ鏡筒は、「バヨネット結合部を形成する移動枠４の係合壁部４ｆと回転枠３の突部３ｅとが互いに食い込む方向に変形」するように構成されている。これにより、レンズ鏡筒は、「移動枠４と回転枠３とのバヨネット結合が外れを確実に阻止することが」できる。
【先行技術文献】
【特許文献】
【０００３】
【特許文献１】特開２００９−１３４１６０号公報
【発明の概要】
【０００４】
本開示は、耐衝撃性の改善と小型化を実現できるレンズ鏡筒を提供する。
【０００５】
本開示におけるレンズ鏡筒は、回転規制リブが設けられるガイド枠と、回転規制リブの外側で係合される第１ガイド部を有し、回転規制リブによって相対的な回転が規制され、光軸方向の移動が可能な１群枠と、回転規制リブの内側で係合される第２ガイド部を有し、回転規制リブによって相対的な回転が規制され、光軸方向の移動が可能な２群枠と、を備える。
【０００６】
また、撮像装置は、上記記載のレンズ鏡筒を一体的又は着脱可能に備える。
【０００７】
本開示におけるレンズ鏡筒は、耐衝撃性の改善と小型化を実現できる。
【図面の簡単な説明】
【０００８】
【図１】実施の形態１におけるレンズ鏡筒の分解斜視図
【図２】実施の形態１における固定枠２００の斜視図
【図３】実施の形態１におけるカム筒５００の斜視図
【図４】実施の形態１における１群レンズユニット６００の斜視図
【図５】実施の形態１における２群レンズユニット７００の斜視図
【図６Ａ】実施の形態１におけるレンズマウント９００側から見た回転規制枠８００の斜視図
【図６Ｂ】実施の形態１における被写体側から見た回転規制枠８００の斜視図
【図７】実施の形態１における固定枠２００、カム筒５００、１群レンズユニット６００、２群レンズユニット７００、回転規制枠８００を組み立てた状態の斜視図
【図８】図７の光軸と垂直方向の断面を示す模式図
【図９Ａ】レンズ収納状態における図７の光軸方向の断面を示す模式図
【図９Ｂ】レンズ使用状態における図７の光軸方向の断面を示す模式図
【図１０】図８における第３カムピン６２１付近の拡大断面図
【図１１】実施の形態１の変形例における第３カムピン６２１付近の拡大断面図
【図１２】実施の形態２における２群レンズユニット７００に金属部材７９０を取り付けた構成を示す斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
（実施の形態１）
以下、図１〜１１を用いて、実施の形態１を説明する。本実施の形態１では、レンズ鏡筒の一例として、交換レンズの説明を行う。レンズ鏡筒には、デジタルスチルカメラのような撮像装置に一体的に設けられる鏡筒と、一眼カメラやミラーレスカメラのような撮像装置に着脱可能に設けられる交換レンズと、が含まれる。
【００１２】
［１．交換レンズの構成（図１〜図６Ｂ）］
図１は、交換レンズの分解斜視図である。交換レンズは、第１レンズ群Ｇ１〜第４レンズ群Ｇ４を有している。
【００１３】
交換レンズは、ズームリング１００と、固定枠２００と、カム筒５００と、第１レンズ群Ｇ１を含む１群レンズユニット６００と、第２レンズ群Ｇ２を含む２群レンズユニット７００と、第３レンズ群Ｇ３及び第４レンズ群Ｇ４を含む３／４群レンズユニット３００と、回転規制枠８００と、後枠４００と、レンズマウント９００と、を備える。交換レンズは、レンズマウント９００を介して、カメラボディと接続され、撮像装置を構成する。
【００１４】
ズームリング１００は、固定枠２００の外周側に設けられる。ズームリング１００は、固定枠２００に対して相対的に回転可能である。ズームリング１００は、図１に示すように、内周にズーム駆動溝１０４が形成されている。ズーム駆動溝１０４は、光軸と実質的に平行な溝である。
【００１５】
図２は、固定枠２００をレンズマウント９００側から見た斜視図である。固定枠２００は、内周に、第１カム溝２０１、第２カム溝２０２、貫通カム溝２０３が設けられている。貫通カム溝２０３は、固定枠２００の内周から外周に貫通している。また、固定枠２００は、内周に、巾が一定で光軸と実質的に並行に形成される固定枠回転規制溝２１１、固定枠回転規制溝２１２、固定枠回転規制溝２１３を有する。図２示すように、第１カム溝２０１、第２カム溝２０２、貫通カム溝２０３及び固定枠回転規制溝２１１、２１２、２１３は、周方向を略均等に３分割する位相位置にそれぞれ配置される。
【００１６】
図３は、カム筒５００をレンズマウント９００側から見た斜視図である。カム筒５００は、内周に、３つの第３カム溝５２０、３つの第４カム溝５３０及び回転規制枠８００と係合する３つのバヨネット溝５６０を有する。３つの第３カム溝５２０、３つの第４カム溝５３０及び３つのバヨネット溝５６０は、周方向を略均等に３分割する位相位置にそれぞれ配置される。
【００１７】
また、カム筒５００の外周には、第１カムピン５０１、第２カムピン５０２、貫通カムピン５０３が圧入などにより取り付けられる。
【００１８】
カム筒５００の第１カムピン５０１は、固定枠２００の第１カム溝２０１と係合し、第２カムピン５０２は、固定枠２００の第２カム溝２０２と係合する。カム筒５００の貫通カムピン５０３は、固定枠２００の貫通カム溝２０３と係合する。貫通カムピン５０３は、第１カムピン５０１や第２カムピン５０２よりも径が大きい。ズーム駆動ピン５０４は、貫通カムピン５０３が貫通カム溝２０３に係合された状態で、貫通カムピン５０３の天面にビス締めされる。
【００１９】
ここで、ズーム駆動ピン５０４は、固定枠２００の外周面よりも外周側に突出している。ズーム駆動ピン５０４は、ズームリング１００のズーム駆動溝１０４と係合する。これにより、ズームリング１００がユーザー操作などにより光軸回りに回転すると、カム筒５００はズーム駆動ピン５０４を介して光軸回りに回転する。この結果、カム筒５００は、第１カムピン５０１等が第１カム溝２０１等に沿って移動することで、固定枠２００に対して光軸回りに回転しながら光軸方向に移動する。なお、カム筒５００が光軸方向に移動しても、ズーム駆動ピン５０４は、ズーム駆動溝１０４と係合し続ける。
【００２０】
図４は、１群レンズユニット６００をレンズマウント９００側から見た斜視図である。１群レンズユニット６００は、内周に、巾が一定で光軸と実質的に平行に形成される１群回転規制リブ６４１、１群回転規制リブ６４２、１群回転規制リブ６４３を有する。１群回転規制リブ６４１、６４２、６４３のそれぞれの一部は、１群レンズユニット６００の像面側から突出している。また、１群レンズユニット６００の外周の端部側には、第３カムピン６２１、第３カムピン６２２、第３カムピン６２３が圧入などにより取り付けられている。第３カムピン６２１、６２２、６２３は、１群回転規制リブ６４１、６４２、６４３とそれぞれ対を形成し、対向する位置に取り付けられる。即ち、第３カムピン６２１、６２２、６２３と、１群回転規制リブ６４１、６４２、６４３とは、周方向の位相がそれぞれ実質的に同じである。１群回転規制リブ６４１、６４２、６４３は、ガイド部の一例である。
【００２１】
第３カムピン６２１、６２２、６２３は、カム筒５００の３つの第３カム溝５２０とそれぞれ係合する。これにより、１群レンズユニット６００は、カム筒５００に対して相対的に光軸回りに回転しながら光軸方向に移動する。
【００２２】
図５は、２群レンズユニット７００をレンズマウント９００側から見た斜視図である。２群レンズユニット７００は、外周に、巾が一定で光軸と実質的に平行に形成される２群回転規制溝７５１、２群回転規制溝７５２、２群回転規制溝７５３を有する。また、２群レンズユニット７００の外周には、第４カムピン７３１、第４カムピン７３２、第４カムピン７３３が圧入などにより取り付けられる。第４カムピン７３１、７３２、７３３は、２群回転規制溝７５１、７５２、７５３を形成する２群レンズユニット７００の壁に設けられ、２群回転規制溝７５１、７５２、７５３の近傍に配置される。第４カムピン７３１、７３２、７３３は、カム筒５００の３つの第４カム溝５３０とそれぞれ係合する。これにより、２群レンズユニット７００は、カム筒５００に対して相対的に光軸回りに回転しながら光軸方向に移動する。２群回転規制溝７５１、７５２、７５３は、ガイド部の一例である。
【００２３】
図６Ａは、レンズマウント９００側から見た回転規制枠８００の斜視図であり、図６Ｂは、被写体側から見た回転規制枠８００の斜視図である。回転規制枠８００は、フランジ８１０から径方向の外周側に突出する回転規制キー８１１、回転規制キー８１２、回転規制キー８１３を有する。３つの回転規制キー８１１、８１２、８１３は、外周を周方向に略３等分する位相位置に配置される。回転規制キー８１１、８１２、８１３は、固定枠２００の固定枠回転規制溝２１１、２１２、２１３とそれぞれ係合する。これにより、回転規制枠８００は、固定枠２００に対して光軸回りの回転が規制され、光軸方向に移動可能となる。
【００２４】
また、回転規制枠８００は、巾が一定で光軸に沿って形成される２群回転規制リブ８５１、２群回転規制リブ８５２、２群回転規制リブ８５３を有する。２群回転規制リブ８５１、８５２、８５３は、フランジ８１０の内周側から被写体側に突出している。２群回転規制リブ８５１、８５２、８５３は、回転規制キー８１１、８１２、８１３と周方向の位相位置が略同じである。なお、２群回転規制リブ８５１、８５２、８５３は、フランジ８１０から突出しているので、撓み易い。
【００２５】
２群回転規制リブ８５１、８５２、８５３には、外周側に、実質的に巾が一定で光軸と平行に形成される１群回転規制溝８４１、１群回転規制溝８４２、１群回転規制溝８４３がそれぞれ設けられる。図６Ａに示すように、１群回転規制溝８４１、８４２、８４３は、２群回転規制リブ８５１、８５２、８５３の全長に渡って設けられ、フランジ８１０を貫通する。
【００２６】
ここで、２群回転規制リブ８５１、８５２、８５３は、２群レンズユニット７００の２群回転規制溝７５１、７５２、７５３とそれぞれ係合し、１群回転規制溝８４１、８４２、８４３は、１群レンズユニット６００の１群回転規制リブ６４１、６４２、６４３とそれぞれ係合する。これにより、１群レンズユニット６００及び２群レンズユニット７００は、回転規制枠８００に対して光軸回りの回転が規制された状態で、光軸方向に移動可能にガイドされる。
【００２７】
また、回転規制枠８００の外周には、３つのバヨネットキー８６０が設けられている。３つのバヨネットキー８６０は、カム筒５００の３つのバヨネット溝５６０とそれぞれ係合する。これにより、回転規制枠８００は、カム筒５００に対して相対的に回転可能で、光軸方向の移動が規制される。なお、回転規制枠８００はガイド枠の一例である。
【００２８】
図１に示す３／４群レンズユニット３００は、固定枠２００に取り付けられる。３／４群レンズユニット３００には、フォーカスレンズである第３レンズ群Ｇ３が取り付けられる。３／４群レンズユニット３００には、第３レンズ群Ｇ３を動作させるためのフォーカスモータ等が取り付けられる。なお、第４レンズ群Ｇ４は、固定レンズとして、３／４群レンズユニット３００内に取り付けられる。
【００２９】
図１に示す後枠４００は、固定枠２００に取り付けられ、固定枠２００の外周側に設けられる。
【００３０】
図１に示すレンズマウント９００は、カメラボディと結合するマウント部である。レンズマウント９００は、固定枠２００に取り付けられる。
【００３１】
［２．交換レンズの組み立て］
次に、交換レンズの組み立て順序を説明する。
【００３２】
まず、固定枠２００の内側にカム筒５００が挿入される。このとき、固定枠２００の第１カム溝２０１、第２カム溝２０２、貫通カム溝２０３に対して、カム筒５００の第１カムピン５０１、第２カムピン５０２、貫通カムピン５０３がそれぞれ取り付けられる。そして、ズーム駆動ピン５０４は貫通カムピン５０３にネジ締めされる。
【００３３】
次に、カム筒５００の内側に１群レンズユニット６００が挿入される。このとき、カム筒５００の３つの第３カム溝５２０に対して、１群レンズユニット６００の第３カムピン６２１、６２２、６２３がそれぞれ取り付けられる。
【００３４】
次に、カム筒５００の内側に２群レンズユニット７００が挿入される。このとき、カム筒５００の３つの第４カム溝５３０に対して、２群レンズユニット７００の第４カムピン７３１、７３２、７３３がそれぞれ取り付けられる。
【００３５】
次に、カム筒５００の内側に回転規制枠８００が挿入される。その際、回転規制枠８００の２群回転規制リブ８５１、８５２、８５３が、２群レンズユニット７００の２群回転規制溝７５１、７５２、７５３にそれぞれ係合し、回転規制枠８００の１群回転規制溝８４１、８４２、８４３が、１群レンズユニット６００の１群回転規制リブ６４１、６４２、６４３にそれぞれ係合する。更に、回転規制枠８００の３つのバヨネットキー８６０が、カム筒５００の３つのバヨネット溝５６０にそれぞれ係合する。
【００３６】
このようにして、固定枠２００の内側に、カム筒５００、１群レンズユニット６００、２群レンズユニット７００、回転規制枠８００が挿入される。
【００３７】
次に、固定枠２００のレンズマウント９００側に、３／４群レンズユニット３００を、ビス締め固定する。
【００３８】
次に、固定枠２００の外周にズームリング１００が取り付けられる。この際、ズームリング１００のズーム駆動溝１０４に、カム筒５００のズーム駆動ピン５０４が係合する。
【００３９】
そして、固定枠２００のレンズマウント９００側に後枠４００がビス締め固定され、固定枠２００にレンズマウント９００がビス締め固定される。
【００４０】
このようにして組み立てられた交換レンズは、ズームリング１００が回転すると、固定枠２００に対して、カム筒５００が回転し、光軸方向に移動する。また、回転規制枠８００は、固定枠２００に対して光軸回りの回転が規制された状態でカム筒５００と一体的に光軸方向に移動する。また、１群レンズユニット６００及び２群レンズユニット７００は、それぞれ、光軸回りの回転が規制された状態でカム筒５００に対して光軸方向に移動する。
【００４１】
［３．各構成の関係（図７〜図１０）］
図７は、固定枠２００、カム筒５００、１群レンズユニット６００、２群レンズユニット７００、回転規制枠８００を組み立てた状態の斜視図である。
【００４２】
図８は、図７の光軸と垂直方向（ＸＹ方向）の断面を示す模式図である。図８では、第３カムピン６２１、６２２、６２３に係合する３つの第３カム溝５２０を、それぞれ第３カム溝５２１、第３カム溝５２２、第３カム溝５２３としている。図８に示すように、第３カム溝５２１、５２２、５２３、第３カムピン６２１、６２２、６２３、１群回転規制リブ６４１、６４２、６４３、２群回転規制溝７５１、７５２、７５３、１群回転規制溝８４１、８４２、８４３、２群回転規制リブ８５１、８５２、８５３及び第４カムピン７３１、７３２、７３３は、それぞれ周方向に略３等分する位相位置に配置される。そして、第３カム溝５２１、第３カムピン６２１、１群回転規制リブ６４１、２群回転規制溝７５１、１群回転規制溝８４１及び２群回転規制リブ８５１は、周方向の実質的に同じ位相位置に配置される。同様に、第３カム溝５２２、第３カムピン６２２、１群回転規制リブ６４２、２群回転規制溝７５２、１群回転規制溝８４２及び、２群回転規制リブ８５２は、周方向の実質的に同じ位相位置に配置され、第３カム溝５２３、第３カムピン６２３、１群回転規制リブ６４３、２群回転規制溝７５３、１群回転規制溝８４３及び２群回転規制リブ８５３は、周方向の実質的に同じ位相位置に配置される。
【００４３】
また、第４カムピン７３１、７３２、７３３は、２群回転規制溝７５１、７５２、７５３を形成する２群レンズユニット７００の壁にそれぞれ設けられているため、第３カムピン６２１、６２２、６２３の近傍にそれぞれ配置される。第３カムピン６２１と第４カムピン７３１の距離をなるべく短くしているので、負荷の力点と作用点との距離が短いため、回転規制キー８１１と固定枠回転規制溝２１１との係合部のこじり負荷が軽減される。第３カムピン６２２と第４カムピン７３２及び第３カムピン６２３と第４カムピン７３３との関係についても同様である。
【００４４】
図９Ａは、レンズ収納状態における図７の光軸方向（Ｚ方向）の断面を示す模式図であり、図９Ｂは、レンズ使用状態における図７の光軸方向（Ｚ方向）の断面を示す模式図である。図９Ａに示すレンズ収納状態では、１群回転規制溝８４１と係合する１群回転規制リブ６４１は、光軸方向において、２群回転規制リブ８５１の像面側端部まで収納される。また、図９Ｂに示すレンズ使用状態では、第３カムピン６２１は、１群回転規制溝８４１（２群回転規制リブ８５１）の被写体側端部付近まで、光軸方向に移動する。第３カムピン６２２、１群回転規制リブ６４２、１群回転規制溝８４２及び２群回転規制リブ８５２についても同様である。また、第３カムピン６２３、１群回転規制リブ６４３、１群回転規制溝８４３及び２群回転規制リブ８５３についても同様である。
【００４５】
図１０は、図８における第３カムピン６２１付近の拡大図である。外周側から内周側に向かって、カム筒５００、１群レンズユニット６００、回転規制枠８００、２群レンズユニット７００が配置されている。
【００４６】
カム筒５００は、内周面に、第３カム溝５２１を有する。１群レンズユニット６００は、外周面に、第３カムピン６２１を有する。第３カムピン６２１は、第３カム溝５２１と係合する。
【００４７】
第３カムピン６２１は、１群レンズユニット６００本体の像面側の端部に圧入されている。また、１群レンズユニット６００は、第３カムピン６２１と径方向に対向する内周の位置に、１群回転規制リブ６４１を有する。１群回転規制リブ６４１は、２つの凸部６８１、２つの凸部６８１に挟まれる１つの凹部６９１を有する。凸部６８１は、凹部６９１と対向する側に接触面６４１ａと、接触面６４１ａと凹部６９１を繋ぐ内周面６４１ｂを有する。凹部６９１は、“肉盗み”であり、１群レンズユニット６００を形成する樹脂に“引け”が生じるのを軽減する。１群レンズユニット６００は、樹脂で形成された外装部材である。そのため、肉盗みである凹部６９１がない場合、樹脂に“引け”が生じ、凸凹した表面になり、摺動性やデザイン（美観）性を損なう可能性がある。第３カムピン６２２、６２３及び１群回転規制リブ６４２、６４３についても同様である。
【００４８】
図１０に示すように、回転規制枠８００の２群回転規制リブ８５１は、断面形状が略凹状である１群回転規制溝８４１を有する。１群回転規制溝８４１は、２つの摺動面８４１ａと、２つの摺動面８４１ａを繋ぐ底面８４１ｂを有する。２つの摺動面８４１ａは、１群回転規制リブ６４１の接触面６４１ａと接触して移動可能である。２つの摺動面８４１ａは、径方向（Ｌ１）と略平行に、接触面６４１ａと接触し、回転規制枠８００が１群レンズユニット６００から外れることを軽減している。
【００４９】
２群回転規制リブ８５１は、２つの接触面８５１ａと、２つの接触面８５１ａを繋ぐ内周面８５１ｂを有する。
【００５０】
２群レンズユニット７００は、外周面に、２群回転規制溝７５１を有する。２群回転規制溝７５１は、凹形状であり、２つの摺動面７５１ａと、２つの摺動面７５１ａを繋ぐ底面７５１ｂを有する。２つの摺動面７５１ａは、２群回転規制リブ８５１の２つの接触面８５１ａと接触して移動可能である。摺動面７５１ａは、径方向（Ｌ１）と略平行に、接触面８５１ａと接触し、２群レンズユニット７００が回転規制枠８００から外れることを軽減している。
【００５１】
ここで、図１０に示すように、カム筒５００の第３カム溝５２１は１群レンズユニット６００の第３カムピン６２１と係合することによって、カム筒５００と１群レンズユニット６００とは、径方向（Ｌ１）に、距離Ｄ１の係合関係を有する。また、１群レンズユニット６００は、回転規制枠８００との関係で、径方向に、距離Ｄ２の隙間を有する。即ち、距離Ｄ２は、１群回転規制リブ６４１の内周面６４１ｂと１群回転規制溝８４１の底面８４１ｂとの距離である。また、回転規制枠８００は、２群レンズユニット７００との関係で、径方向に、距離Ｄ３の隙間を有する。即ち、距離Ｄ３は、２群回転規制リブ８５１の内周面８５１ｂと２群回転規制溝７５１の底面７５１ｂとの距離である。
【００５２】
そして、１群レンズユニット６００の第３カムピン６２１がカム筒５００の第３カム溝５２１から外れるのを防止するため、以下の式（１）を満足する。
【００５３】
Ｄ１＞Ｄ２＋Ｄ３  ・・・（１）
更に、図１０に示すように、外周側から、第３カム溝５２１に対して第３カムピン６２１が係合し、１群回転規制リブ６４１に対して１群回転規制溝８４１が係合し、２群回転規制リブ８５１に対して２群回転規制溝７５１が係合する。そして、１群レンズユニット６００が内周側へ押圧された場合、１群レンズユニット６００を回転規制枠８００が支え、回転規制枠８００を２群レンズユニット７００が支える。この構成により、レンズ鏡筒の耐衝撃性が向上する。また、２群回転規制リブ８５１は、接触面８５１ａにより、２群レンズユニット７００の回転を規制するとともに、外周側に形成された１群回転規制溝８４１により、１群レンズユニット６００の回転を規制するように、同時に２つの部材の回転を規制することでレンズ鏡筒の小型化に寄与する。
【００５４】
ここで、図１０に示すように、摺動面８４１ａの周方向の幅は、接触面８５１ａの周方向幅よりも狭い。
【００５５】
なお、上記は、第３カムピン６２１付近の構成についての説明であるが、第３カムピン６２２付近における１群回転規制リブ６４２、２群回転規制溝７５２、１群回転規制溝８４２、２群回転規制リブ８５２の構成及び第３カムピン６２３付近における１群回転規制リブ６４３、２群回転規制溝７５３、１群回転規制溝８４３、２群回転規制リブ８５３の構成についても同様である。
【００５６】
［４．変形例（図１１）］
図１１は、変形例における第３カムピン６２１付近の拡大図である。外周側から内周側に向かって、カム筒５００、１群レンズユニット６００、回転規制枠８００、２群レンズユニット７００が配置されている。カム筒５００は、内周面に、第３カム溝５２１を有する。１群レンズユニット６００は、外周面に、第３カムピン６２１を有する。第３カムピン６２１は、第３カム溝５２１と係合する。以上の点は、図１０と同じである。しかし、図１０とは、１群レンズユニット６００、２群レンズユニット７００及び回転規制枠８００に設けられる回転規制リブと回転規制溝との関係が逆になっている。
【００５７】
即ち、１群レンズユニット６００は、第３カムピン６２１と径方向に対向する内周の位置に、１群回転規制溝６４４を有する。１群回転規制溝６４４は、凸部６８４に挟まれた部分であり、２つの摺動面６４４ａと、２つの摺動面６４４ａを繋ぐ底面６４４ｂを有する。１群回転規制溝６４４は、図１０に示す１群回転規制リブ６４１の凹部６９１と同様に、光軸方向と略平行に設けられる。
【００５８】
図１１に示すように、回転規制枠８００は、１群回転規制リブ８４４と、１群回転規制リブ８４４の内周側に設けられる２群回転規制溝８５４を有する。１群回転規制リブ８４４は、２つの接触面８４４ａと、２つの接触面８４４ａを繋ぐ外周面８４４ｂを有し、１群レンズユニット６００の１群回転規制溝６４４と係合する。即ち、２つの接触面８４４ａは、１群回転規制溝６４４の摺動面６４４ａと接触して移動可能である。２群回転規制溝８５４は、２つの摺動面８５４ａと、２つの摺動面８５４ａを繋ぐ底面８５４ｂを有する。
【００５９】
２群レンズユニット７００は、外周面に、凹部７９４と、凹部７９４に外周側に形成される２群回転規制リブ７５４を有する。２群回転規制リブ７５４は、凸形状であり、２つの接触面７５４ａと、２つの接触面７５４ａを繋ぐ外周面７５４ｂを有する。２群回転規制リブ７５４は、２群回転規制溝８５４と係合する。即ち、接触面７５４ａが２群回転規制溝８５４の摺動面８５４ａと接触して移動可能である。
【００６０】
ここで、図１１に示すように、カム筒５００の第３カム溝５２１は１群レンズユニット６００の第３カムピン６２１と係合することによって、カム筒５００と１群レンズユニット６００とは、径方向（Ｌ１方向）に、距離Ｄ１の係合関係を有する。また、１群レンズユニット６００は、回転規制枠８００との関係で、径方向に、距離Ｄ４の隙間を有する。
【００６１】
即ち、距離Ｄ４は、１群回転規制溝６４４の底面６４４ｂと１群回転規制リブ８４４の外周面８４４ｂとの距離である。また、回転規制枠８００は、２群レンズユニット７００との関係で、径方向に、距離Ｄ５の隙間を有する。即ち、距離Ｄ５は、２群回転規制溝８５４の底面８５４ｂと２群回転規制リブ７５４の外周面７５４ｂとの距離である。
【００６２】
そして、１群レンズユニット６００の第３カムピン６２１がカム筒５００の第３カム溝５２１から外れるのを防止するため、以下の式（２）を満足する。
【００６３】
Ｄ１＞Ｄ４＋Ｄ５  ・・・（２）
更に、図１１に示すように、外周側から、第３カム溝５２１に対して第３カムピン６２１が係合し、１群回転規制溝６４４に対して１群回転規制リブ８４４が係合し、２群回転規制溝８５４に対して２群回転規制リブ７５４が係合する。そして、１群レンズユニット６００が内周側へ押圧された場合、１群レンズユニット６００を回転規制枠８００が支え、回転規制枠８００を２群レンズユニット７００が支える。この構成により、レンズ鏡筒の耐衝撃性が向上する。また、１群回転規制リブ８４４は、接触面８４４ａにより、１群レンズユニット６００の回転を規制するとともに、内周側に形成された２群回転規制溝８５４により、２群レンズユニット７００の回転を規制するように、同時に２つの部材の回転を規制することでレンズ鏡筒の小型化に寄与する。
【００６４】
ここで、図１１に示すように、接触面８４４ａの周方向の幅は、摺動面８５４ａの周方向幅よりも広い。
【００６５】
なお、上記は、変形例における第３カムピン６２１付近の構成についての説明であるが、第３カムピン６２２付近における１群回転規制溝、凸部、２群回転規制リブ、凹部、１群回転規制リブ、２群回転規制溝の構成及び第３カムピン６２３付近における１群回転規制溝、凸部、２群回転規制リブ、凹部、１群回転規制リブ、２群回転規制溝の構成についても同様である。
【００６６】
また、１群回転規制溝６４４及び２群回転規制リブ７５４はガイド部の一例である。
【００６７】
［５．まとめ］
上記のように、鏡筒内部に回転規制溝を有する回転規制リブ（例えば、２群回転規制リブ８５１、１群回転規制リブ８４４）を設けることにより、２群レンズユニット７００の回転規制と１群レンズユニット６００の回転規制が可能となる。そのため、レンズ鏡筒の径方向の部品が削減され、レンズ鏡筒の小径化が実現される。
【００６８】
また、カム筒５００に対して係合される、第３カムピン６２１及び第４カムピン７３１が略同位相に配置されている。即ち、第３カムピン６２１と第４カムピン７３１とは、周方向において、近傍に配置される。これにより、負荷の力点と作用点との距離を短くできるので、こじり負荷を軽減できる。結果、小型なレンズ鏡筒でありながらスムーズな動作を実現できる。
【００６９】
例えば、カム筒５００の回転動作によって、第３カムピン６２１及び第４カムピン７３１が周方向に負荷を受ける。図１０に示す実施の形態では、第３カムピン６２１に対する負荷は、１群回転規制リブ６４１を介して１群回転規制溝８４１に伝わり、２群回転規制リブ８５１に伝わる。一方、第４カムピン７３１に対する負荷は、２群回転規制溝７５１を介して２群回転規制リブ８５１に伝わる。カム筒５００は、固定枠２００に対して相対的に回転しており、２群回転規制リブ８５１に伝わった回転力は回転規制キー８１１と固定枠回転規制溝２１１との係合部に伝達されることになる。
【００７０】
また、図１１に示す変形例では、第３カムピン６２１に対する負荷は、１群回転規制溝６４４を介して１群回転規制リブ８４４に伝わり、２群回転規制溝８５４に伝わる。一方、第４カムピン７３１に対する負荷は、２群回転規制リブ７５４を介して２群回転規制溝８５４に伝わる。カム筒５００は、固定枠２００に対して相対的に回転しており、２群回転規制溝８５４に伝わった回転力は回転規制キー８１１と固定枠回転規制溝２１１との係合部に伝達されることになる。
【００７１】
このように、本実施の形態では、第３カムピン６２１と第４カムピン７３１の距離をなるべく短くしているので、負荷の力点と作用点との距離が短いため、回転規制キー８１１と固定枠回転規制溝２１１との係合部のこじり負荷が軽減される。第３カムピン６２２と第４カムピン７３２及び第３カムピン６２３と第４カムピン７３３との関係についても同様である。
【００７２】
さらに、レンズ鏡筒への被写体側からの衝撃による外力が発生した場合、レンズ鏡筒の破損が軽減される。例えば、第３カムピン６２１が第３カム溝５２１から脱落する向き、即ちレンズ鏡筒の内側向きへ１群レンズユニット６００が変形すると、図１０に示す実施の形態では、１群回転規制リブ６４１の内周面６４１ｂと１群回転規制溝８４１の底面８４１ｂとが当接し、２群回転規制リブ８５１の内周面８５１ｂと２群回転規制溝７５１の底面７５１ｂとが当接する。また、図１１に示す変形例では、１群回転規制溝６４４の底面６４４ｂと１群回転規制リブ８４４の外周面８４４ｂとが当接し、２群回転規制溝８５４の底面８５４ｂと２群回転規制リブ７５４の外周面７５４ｂとが当接する。これによって、１群レンズユニット６００の変形を回転規制枠８００と２群レンズユニット７００で防止するので耐衝撃性の高いレンズ鏡筒を実現できる。つまり、回転規制枠８００のように厚みが薄く、強度が低いリブ構造であっても、回転規制枠８００を１群レンズユニット６００と２群レンズユニット７００で挟んで配置することで、レンズ鏡筒の耐衝撃強度を確保することが可能となる。
【００７３】
また、１群回転規制溝８４１は、光軸方向において、回転規制キー８１１と略同じ位置まで延設されている。これによって、１群レンズユニット６００が回転規制枠８００に対して光軸方向に相対的に移動しても、沈胴長を小さく維持したまま１群回転規制リブ６４１と１群回転規制溝８４１の接触面積を多く確保できるため、より耐衝撃性に優れたレンズ鏡筒を実現できる。１群回転規制リブ６４２と１群回転規制溝８４２及び１群回転規制リブ６４２と１群回転規制溝８４２との関係についても同様である。
【００７４】
なお、１群回転規制溝８４１を径方向に延設すれば、例えば、第３カムピン６２１が１群レンズユニット６００とは別部材であり、１群レンズユニット６００に圧入などにより固定される場合であっても、径方向において１群回転規制リブ６４１まで圧入代を確保できるため、より強度の高いカムピンを構成することができる。第３カムピン６２２と１群回転規制リブ６４２及び第３カムピン６２３と１群回転規制リブ６４３との関係についても同様である。
【００７５】
（実施の形態２）
図１２は、２群レンズユニット７００に金属部材７９０を取り付けた構成を示す斜視図である。金属部材７９０は、図５に示す２群レンズユニット７００の内側の被写体側端部に設けられる。金属部材７９０は、３つの２群回転規制溝７５１、７５２、７５３が形成される突出部の内周側に配置され、位置決めされ、ビス留めされる。金属部材７９０は、例えば、アルミニウム、ＳＵＳ（ステンレス鋼）、真鍮などで構成される。金属部材７９０は、２群回転規制溝７５１、７５２、７５３が内周側に曲がるのを軽減するために設けられる。金属部材７９０が設けられることにより、２群回転規制溝７５１、７５２、７５３の内周側への撓みが軽減され、２群レンズユニット７００及びレンズ鏡筒の耐衝撃性がより高くなる。
【００７６】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。
【００７７】
例えば、実施の形態１では、第３カム溝、第４カム溝、第３カムピン、第４カムピン、固定枠回転規制溝、１群回転規制溝、２群回転規制溝、１群回転規制リブ、２群回転規制リブ、回転規制キーについて、それぞれ３つずつ、周方向に実質的に均等に設けられているが、これに限らない。これらの構成要素は、周方向に均等でなくてもよく、また、３つではなく、１つ又は２つでもよいし、４つ以上でもよく、高精度に各レンズ群を移動可能に支持できればよい。
【００７８】
以上のように、本開示における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、請求の範囲またはその均等の範囲において種々の変更、置き換え、付加、省略などを行うことができる。
【産業上の利用可能性】
【００８１】
本開示は、レンズ鏡筒及びレンズ鏡筒を備える撮像装置に適用可能である。具体的には、デジタルスチルカメラ、ムービー、カメラ機能付き携帯電話機、スマートフォンなどに用いられるレンズ鏡筒に、本開示は適用可能である。また、一眼レフ、ミラーレスカメラなどに用いられる交換レンズに、本開示は適用可能である。
【符号の説明】
【００８２】
Ｇ１  第１レンズ群
Ｇ２  第２レンズ群
Ｇ３  第３レンズ群
Ｇ４  第４レンズ群
１００  ズームリング
１０４  ズーム駆動溝
２００  固定枠
２０１  第１カム溝
２０２  第２カム溝
２０３  貫通カム溝
２１１，２１２，２１３  固定枠回転規制溝
３００  ３／４群レンズユニット
４００  後枠
５００  カム筒
５０１  第１カムピン
５０２  第２カムピン
５０３  貫通カムピン
５０４  ズーム駆動ピン
５２０，５２１，５２２，５２３  第３カム溝
５３０  第４カム溝
５６０  バヨネット溝
６００  １群レンズユニット
６２１，６２２，６２３  第３カムピン
６４１，６４２，６４３，８４４  １群回転規制リブ
６４４，８４１，８４２，８４３  １群回転規制溝
６８１，６８４  凸部
６９１，７９４  凹部
７００  ２群レンズユニット
７３１，７３２，７３３  第４カムピン
７５１，７５２，７５３，８５４  ２群回転規制溝
７５４，８５１，８５２，８５３  ２群回転規制リブ
７９０  金属部材
８００  回転規制枠
８１０  フランジ
８１１，８１２，８１３  回転規制キー
８６０  バヨネットキー
９００  レンズマウント
【図１】
2015049813.tif 000003
【図２】
2015049813.tif 000004
【図３】
2015049813.tif 000005
【図４】
2015049813.tif 000006
【図５】
2015049813.tif 000007
【図６Ａ】
2015049813.tif 000008
【図６Ｂ】
2015049813.tif 000009
【図７】
2015049813.tif 000010
【図８】
2015049813.tif 000011
【図９Ａ】
2015049813.tif 000012
【図９Ｂ】
2015049813.tif 000013
【図１０】
2015049813.tif 000014
【図１１】
2015049813.tif 000015
【図１２】
2015049813.tif 000016
【手続補正書】
【提出日】平成28年2月19日(2016.2.19)
【手続補正１】
【補正対象書類名】明細書
【補正対象項目名】全文
【補正方法】変更
【補正の内容】
【発明の詳細な説明】
【技術分野】
【０００１】
本開示は、撮像装置に用いられるレンズ鏡筒に関する。
【背景技術】
【０００２】
特許文献１は、耐衝撃性を改善し、かつ、小型化にも対応可能なレンズ鏡筒を開示する。特許文献１のレンズ鏡筒は、「バヨネット結合部を形成する移動枠４の係合壁部４ｆと回転枠３の突部３ｅとが互いに食い込む方向に変形」するように構成されている。これにより、レンズ鏡筒は、「移動枠４と回転枠３とのバヨネット結合が外れを確実に阻止することが」できる。
【先行技術文献】
【特許文献】
【０００３】
【特許文献１】特開２００９−１３４１６０号公報
【発明の概要】
【０００４】
本開示は、耐衝撃性の改善と小型化を実現できるレンズ鏡筒を提供する。
【０００５】
本開示におけるレンズ鏡筒は、回転規制リブが設けられるガイド枠と、回転規制リブの外側で係合される第１ガイド部を有し、回転規制リブによって相対的な回転が規制され、光軸方向の移動が可能な１群枠と、回転規制リブの内側で係合される第２ガイド部を有し、回転規制リブによって相対的な回転が規制され、光軸方向の移動が可能な２群枠と、を備える。
【０００６】
また、撮像装置は、上記記載のレンズ鏡筒を一体的又は着脱可能に備える。
【０００７】
本開示におけるレンズ鏡筒は、耐衝撃性の改善と小型化を実現できる。
【図面の簡単な説明】
【０００８】
【図１】実施の形態１におけるレンズ鏡筒の分解斜視図
【図２】実施の形態１における固定枠２００の斜視図
【図３】実施の形態１におけるカム筒５００の斜視図
【図４】実施の形態１における１群レンズユニット６００の斜視図
【図５】実施の形態１における２群レンズユニット７００の斜視図
【図６Ａ】実施の形態１におけるレンズマウント９００側から見た回転規制枠８００の斜視図
【図６Ｂ】実施の形態１における被写体側から見た回転規制枠８００の斜視図
【図７】実施の形態１における固定枠２００、カム筒５００、１群レンズユニット６００、２群レンズユニット７００、回転規制枠８００を組み立てた状態の斜視図
【図８】図７の光軸と垂直方向の断面を示す模式図
【図９Ａ】レンズ収納状態における図７の光軸方向の断面を示す模式図
【図９Ｂ】レンズ使用状態における図７の光軸方向の断面を示す模式図
【図１０】図８における第３カムピン６２１付近の拡大断面図
【図１１】実施の形態１の変形例における第３カムピン６２１付近の拡大断面図
【図１２】実施の形態２における２群レンズユニット７００に金属部材７９０を取り付けた構成を示す斜視図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
（実施の形態１）
以下、図１〜１１を用いて、実施の形態１を説明する。本実施の形態１では、レンズ鏡筒の一例として、交換レンズの説明を行う。レンズ鏡筒には、デジタルスチルカメラのような撮像装置に一体的に設けられる鏡筒と、一眼カメラやミラーレスカメラのような撮像装置に着脱可能に設けられる交換レンズと、が含まれる。
【００１２】
［１．交換レンズの構成（図１〜図６Ｂ）］
図１は、交換レンズの分解斜視図である。交換レンズは、第１レンズ群Ｇ１〜第４レンズ群Ｇ４を有している。
【００１３】
交換レンズは、ズームリング１００と、固定枠２００と、カム筒５００と、第１レンズ群Ｇ１を含む１群レンズユニット６００と、第２レンズ群Ｇ２を含む２群レンズユニット７００と、第３レンズ群Ｇ３及び第４レンズ群Ｇ４を含む３／４群レンズユニット３００と、回転規制枠８００と、後枠４００と、レンズマウント９００と、を備える。交換レンズは、レンズマウント９００を介して、カメラボディと接続され、撮像装置を構成する。
【００１４】
ズームリング１００は、固定枠２００の外周側に設けられる。ズームリング１００は、固定枠２００に対して相対的に回転可能である。ズームリング１００は、図１に示すように、内周にズーム駆動溝１０４が形成されている。ズーム駆動溝１０４は、光軸と実質的に平行な溝である。
【００１５】
図２は、固定枠２００をレンズマウント９００側から見た斜視図である。固定枠２００は、内周に、第１カム溝２０１、第２カム溝２０２、貫通カム溝２０３が設けられている。貫通カム溝２０３は、固定枠２００の内周から外周に貫通している。また、固定枠２００は、内周に、巾が一定で光軸と実質的に並行に形成される固定枠回転規制溝２１１、固定枠回転規制溝２１２、固定枠回転規制溝２１３を有する。図２示すように、第１カム溝２０１、第２カム溝２０２、貫通カム溝２０３及び固定枠回転規制溝２１１、２１２、２１３は、周方向を略均等に３分割する位相位置にそれぞれ配置される。
【００１６】
図３は、カム筒５００をレンズマウント９００側から見た斜視図である。カム筒５００は、内周に、３つの第３カム溝５２０、３つの第４カム溝５３０及び回転規制枠８００と係合する３つのバヨネット溝５６０を有する。３つの第３カム溝５２０、３つの第４カム溝５３０及び３つのバヨネット溝５６０は、周方向を略均等に３分割する位相位置にそれぞれ配置される。
【００１７】
また、カム筒５００の外周には、第１カムピン５０１、第２カムピン５０２、貫通カムピン５０３が圧入などにより取り付けられる。
【００１８】
カム筒５００の第１カムピン５０１は、固定枠２００の第１カム溝２０１と係合し、第２カムピン５０２は、固定枠２００の第２カム溝２０２と係合する。カム筒５００の貫通カムピン５０３は、固定枠２００の貫通カム溝２０３と係合する。貫通カムピン５０３は、第１カムピン５０１や第２カムピン５０２よりも径が大きい。ズーム駆動ピン５０４は、貫通カムピン５０３が貫通カム溝２０３に係合された状態で、貫通カムピン５０３の天面にビス締めされる。
【００１９】
ここで、ズーム駆動ピン５０４は、固定枠２００の外周面よりも外周側に突出している。ズーム駆動ピン５０４は、ズームリング１００のズーム駆動溝１０４と係合する。これにより、ズームリング１００がユーザー操作などにより光軸回りに回転すると、カム筒５００はズーム駆動ピン５０４を介して光軸回りに回転する。この結果、カム筒５００は、第１カムピン５０１等が第１カム溝２０１等に沿って移動することで、固定枠２００に対して光軸回りに回転しながら光軸方向に移動する。なお、カム筒５００が光軸方向に移動しても、ズーム駆動ピン５０４は、ズーム駆動溝１０４と係合し続ける。
【００２０】
図４は、１群レンズユニット６００をレンズマウント９００側から見た斜視図である。１群レンズユニット６００は、内周に、巾が一定で光軸と実質的に平行に形成される１群回転規制リブ６４１、１群回転規制リブ６４２、１群回転規制リブ６４３を有する。１群回転規制リブ６４１、６４２、６４３のそれぞれの一部は、１群レンズユニット６００の像面側から突出している。また、１群レンズユニット６００の外周の端部側には、第３カムピン６２１、第３カムピン６２２、第３カムピン６２３が圧入などにより取り付けられている。第３カムピン６２１、６２２、６２３は、１群回転規制リブ６４１、６４２、６４３とそれぞれ対を形成し、対向する位置に取り付けられる。即ち、第３カムピン６２１、６２２、６２３と、１群回転規制リブ６４１、６４２、６４３とは、周方向の位相がそれぞれ実質的に同じである。１群回転規制リブ６４１、６４２、６４３は、ガイド部の一例である。
【００２１】
第３カムピン６２１、６２２、６２３は、カム筒５００の３つの第３カム溝５２０とそれぞれ係合する。これにより、１群レンズユニット６００は、カム筒５００に対して相対的に光軸回りに回転しながら光軸方向に移動する。
【００２２】
図５は、２群レンズユニット７００をレンズマウント９００側から見た斜視図である。２群レンズユニット７００は、外周に、巾が一定で光軸と実質的に平行に形成される２群回転規制溝７５１、２群回転規制溝７５２、２群回転規制溝７５３を有する。また、２群レンズユニット７００の外周には、第４カムピン７３１、第４カムピン７３２、第４カムピン７３３が圧入などにより取り付けられる。第４カムピン７３１、７３２、７３３は、２群回転規制溝７５１、７５２、７５３を形成する２群レンズユニット７００の壁に設けられ、２群回転規制溝７５１、７５２、７５３の近傍に配置される。第４カムピン７３１、７３２、７３３は、カム筒５００の３つの第４カム溝５３０とそれぞれ係合する。これにより、２群レンズユニット７００は、カム筒５００に対して相対的に光軸回りに回転しながら光軸方向に移動する。２群回転規制溝７５１、７５２、７５３は、ガイド部の一例である。
【００２３】
図６Ａは、レンズマウント９００側から見た回転規制枠８００の斜視図であり、図６Ｂは、被写体側から見た回転規制枠８００の斜視図である。回転規制枠８００は、フランジ８１０から径方向の外周側に突出する回転規制キー８１１、回転規制キー８１２、回転規制キー８１３を有する。３つの回転規制キー８１１、８１２、８１３は、外周を周方向に略３等分する位相位置に配置される。回転規制キー８１１、８１２、８１３は、固定枠２００の固定枠回転規制溝２１１、２１２、２１３とそれぞれ係合する。これにより、回転規制枠８００は、固定枠２００に対して光軸回りの回転が規制され、光軸方向に移動可能となる。
【００２４】
また、回転規制枠８００は、巾が一定で光軸に沿って形成される２群回転規制リブ８５１、２群回転規制リブ８５２、２群回転規制リブ８５３を有する。２群回転規制リブ８５１、８５２、８５３は、フランジ８１０の内周側から被写体側に突出している。２群回転規制リブ８５１、８５２、８５３は、回転規制キー８１１、８１２、８１３と周方向の位相位置が略同じである。なお、２群回転規制リブ８５１、８５２、８５３は、フランジ８１０から突出しているので、撓み易い。
【００２５】
２群回転規制リブ８５１、８５２、８５３には、外周側に、実質的に巾が一定で光軸と平行に形成される１群回転規制溝８４１、１群回転規制溝８４２、１群回転規制溝８４３がそれぞれ設けられる。図６Ａに示すように、１群回転規制溝８４１、８４２、８４３は、２群回転規制リブ８５１、８５２、８５３の全長に渡って設けられ、フランジ８１０を貫通する。
【００２６】
ここで、２群回転規制リブ８５１、８５２、８５３は、２群レンズユニット７００の２群回転規制溝７５１、７５２、７５３とそれぞれ係合し、１群回転規制溝８４１、８４２、８４３は、１群レンズユニット６００の１群回転規制リブ６４１、６４２、６４３とそれぞれ係合する。これにより、１群レンズユニット６００及び２群レンズユニット７００は、回転規制枠８００に対して光軸回りの回転が規制された状態で、光軸方向に移動可能にガイドされる。
【００２７】
また、回転規制枠８００の外周には、３つのバヨネットキー８６０が設けられている。３つのバヨネットキー８６０は、カム筒５００の３つのバヨネット溝５６０とそれぞれ係合する。これにより、回転規制枠８００は、カム筒５００に対して相対的に回転可能で、光軸方向の移動が規制される。なお、回転規制枠８００はガイド枠の一例である。
【００２８】
図１に示す３／４群レンズユニット３００は、固定枠２００に取り付けられる。３／４群レンズユニット３００には、フォーカスレンズである第３レンズ群Ｇ３が取り付けられる。３／４群レンズユニット３００には、第３レンズ群Ｇ３を動作させるためのフォーカスモータ等が取り付けられる。なお、第４レンズ群Ｇ４は、固定レンズとして、３／４群レンズユニット３００内に取り付けられる。
【００２９】
図１に示す後枠４００は、固定枠２００に取り付けられ、固定枠２００の外周側に設けられる。
【００３０】
図１に示すレンズマウント９００は、カメラボディと結合するマウント部である。レンズマウント９００は、固定枠２００に取り付けられる。
【００３１】
［２．交換レンズの組み立て］
次に、交換レンズの組み立て順序を説明する。
【００３２】
まず、固定枠２００の内側にカム筒５００が挿入される。このとき、固定枠２００の第１カム溝２０１、第２カム溝２０２、貫通カム溝２０３に対して、カム筒５００の第１カムピン５０１、第２カムピン５０２、貫通カムピン５０３がそれぞれ取り付けられる。そして、ズーム駆動ピン５０４は貫通カムピン５０３にネジ締めされる。
【００３３】
次に、カム筒５００の内側に１群レンズユニット６００が挿入される。このとき、カム筒５００の３つの第３カム溝５２０に対して、１群レンズユニット６００の第３カムピン６２１、６２２、６２３がそれぞれ取り付けられる。
【００３４】
次に、カム筒５００の内側に２群レンズユニット７００が挿入される。このとき、カム筒５００の３つの第４カム溝５３０に対して、２群レンズユニット７００の第４カムピン７３１、７３２、７３３がそれぞれ取り付けられる。
【００３５】
次に、カム筒５００の内側に回転規制枠８００が挿入される。その際、回転規制枠８００の２群回転規制リブ８５１、８５２、８５３が、２群レンズユニット７００の２群回転規制溝７５１、７５２、７５３にそれぞれ係合し、回転規制枠８００の１群回転規制溝８４１、８４２、８４３が、１群レンズユニット６００の１群回転規制リブ６４１、６４２、６４３にそれぞれ係合する。更に、回転規制枠８００の３つのバヨネットキー８６０が、カム筒５００の３つのバヨネット溝５６０にそれぞれ係合する。
【００３６】
このようにして、固定枠２００の内側に、カム筒５００、１群レンズユニット６００、２群レンズユニット７００、回転規制枠８００が挿入される。
【００３７】
次に、固定枠２００のレンズマウント９００側に、３／４群レンズユニット３００を、ビス締め固定する。
【００３８】
次に、固定枠２００の外周にズームリング１００が取り付けられる。この際、ズームリング１００のズーム駆動溝１０４に、カム筒５００のズーム駆動ピン５０４が係合する。
【００３９】
そして、固定枠２００のレンズマウント９００側に後枠４００がビス締め固定され、固定枠２００にレンズマウント９００がビス締め固定される。
【００４０】
このようにして組み立てられた交換レンズは、ズームリング１００が回転すると、固定枠２００に対して、カム筒５００が回転し、光軸方向に移動する。また、回転規制枠８００は、固定枠２００に対して光軸回りの回転が規制された状態でカム筒５００と一体的に光軸方向に移動する。また、１群レンズユニット６００及び２群レンズユニット７００は、それぞれ、光軸回りの回転が規制された状態でカム筒５００に対して光軸方向に移動する。
【００４１】
［３．各構成の関係（図７〜図１０）］
図７は、固定枠２００、カム筒５００、１群レンズユニット６００、２群レンズユニット７００、回転規制枠８００を組み立てた状態の斜視図である。
【００４２】
図８は、図７の光軸と垂直方向（ＸＹ方向）の断面を示す模式図である。図８では、第３カムピン６２１、６２２、６２３に係合する３つの第３カム溝５２０を、それぞれ第３カム溝５２１、第３カム溝５２２、第３カム溝５２３としている。図８に示すように、第３カム溝５２１、５２２、５２３、第３カムピン６２１、６２２、６２３、１群回転規制リブ６４１、６４２、６４３、２群回転規制溝７５１、７５２、７５３、１群回転規制溝８４１、８４２、８４３、２群回転規制リブ８５１、８５２、８５３及び第４カムピン７３１、７３２、７３３は、それぞれ周方向に略３等分する位相位置に配置される。そして、第３カム溝５２１、第３カムピン６２１、１群回転規制リブ６４１、２群回転規制溝７５１、１群回転規制溝８４１及び２群回転規制リブ８５１は、周方向の実質的に同じ位相位置に配置される。同様に、第３カム溝５２２、第３カムピン６２２、１群回転規制リブ６４２、２群回転規制溝７５２、１群回転規制溝８４２及び、２群回転規制リブ８５２は、周方向の実質的に同じ位相位置に配置され、第３カム溝５２３、第３カムピン６２３、１群回転規制リブ６４３、２群回転規制溝７５３、１群回転規制溝８４３及び２群回転規制リブ８５３は、周方向の実質的に同じ位相位置に配置される。
【００４３】
また、第４カムピン７３１、７３２、７３３は、２群回転規制溝７５１、７５２、７５３を形成する２群レンズユニット７００の壁にそれぞれ設けられているため、第３カムピン６２１、６２２、６２３の近傍にそれぞれ配置される。第３カムピン６２１と第４カムピン７３１の距離をなるべく短くしているので、負荷の力点と作用点との距離が短いため、回転規制キー８１１と固定枠回転規制溝２１１との係合部のこじり負荷が軽減される。第３カムピン６２２と第４カムピン７３２及び第３カムピン６２３と第４カムピン７３３との関係についても同様である。
【００４４】
図９Ａは、レンズ収納状態における図７の光軸方向（Ｚ方向）の断面を示す模式図であり、図９Ｂは、レンズ使用状態における図７の光軸方向（Ｚ方向）の断面を示す模式図である。図９Ａに示すレンズ収納状態では、１群回転規制溝８４１と係合する１群回転規制リブ６４１は、光軸方向において、２群回転規制リブ８５１の像面側端部まで収納される。また、図９Ｂに示すレンズ使用状態では、第３カムピン６２１は、１群回転規制溝８４１（２群回転規制リブ８５１）の被写体側端部付近まで、光軸方向に移動する。第３カムピン６２２、１群回転規制リブ６４２、１群回転規制溝８４２及び２群回転規制リブ８５２についても同様である。また、第３カムピン６２３、１群回転規制リブ６４３、１群回転規制溝８４３及び２群回転規制リブ８５３についても同様である。
【００４５】
図１０は、図８における第３カムピン６２１付近の拡大図である。外周側から内周側に向かって、カム筒５００、１群レンズユニット６００、回転規制枠８００、２群レンズユニット７００が配置されている。
【００４６】
カム筒５００は、内周面に、第３カム溝５２１を有する。１群レンズユニット６００は、外周面に、第３カムピン６２１を有する。第３カムピン６２１は、第３カム溝５２１と係合する。
【００４７】
第３カムピン６２１は、１群レンズユニット６００本体の像面側の端部に圧入されている。また、１群レンズユニット６００は、第３カムピン６２１と径方向に対向する内周の位置に、１群回転規制リブ６４１を有する。１群回転規制リブ６４１は、２つの凸部６８１、２つの凸部６８１に挟まれる１つの凹部６９１を有する。凸部６８１は、凹部６９１と対向する側に接触面６４１ａと、接触面６４１ａと凹部６９１を繋ぐ内周面６４１ｂを有する。凹部６９１は、“肉盗み”であり、１群レンズユニット６００を形成する樹脂に“引け”が生じるのを軽減する。１群レンズユニット６００は、樹脂で形成された外装部材である。そのため、肉盗みである凹部６９１がない場合、樹脂に“引け”が生じ、凸凹した表面になり、摺動性やデザイン（美観）性を損なう可能性がある。第３カムピン６２２、６２３及び１群回転規制リブ６４２、６４３についても同様である。
【００４８】
図１０に示すように、回転規制枠８００の２群回転規制リブ８５１は、断面形状が略凹状である１群回転規制溝８４１を有する。１群回転規制溝８４１は、２つの摺動面８４１ａと、２つの摺動面８４１ａを繋ぐ底面８４１ｂを有する。２つの摺動面８４１ａは、１群回転規制リブ６４１の接触面６４１ａと接触して移動可能である。２つの摺動面８４１ａは、径方向（Ｌ１）と略平行に、接触面６４１ａと接触し、回転規制枠８００が１群レンズユニット６００から外れることを軽減している。
【００４９】
２群回転規制リブ８５１は、２つの接触面８５１ａと、２つの接触面８５１ａを繋ぐ内周面８５１ｂを有する。
【００５０】
２群レンズユニット７００は、外周面に、２群回転規制溝７５１を有する。２群回転規制溝７５１は、凹形状であり、２つの摺動面７５１ａと、２つの摺動面７５１ａを繋ぐ底面７５１ｂを有する。２つの摺動面７５１ａは、２群回転規制リブ８５１の２つの接触面８５１ａと接触して移動可能である。摺動面７５１ａは、径方向（Ｌ１）と略平行に、接触面８５１ａと接触し、２群レンズユニット７００が回転規制枠８００から外れることを軽減している。
【００５１】
ここで、図１０に示すように、カム筒５００の第３カム溝５２１は１群レンズユニット６００の第３カムピン６２１と係合することによって、カム筒５００と１群レンズユニット６００とは、径方向（Ｌ１）に、距離Ｄ１の係合関係を有する。また、１群レンズユニット６００は、回転規制枠８００との関係で、径方向に、距離Ｄ２の隙間を有する。即ち、距離Ｄ２は、１群回転規制リブ６４１の内周面６４１ｂと１群回転規制溝８４１の底面８４１ｂとの距離である。また、回転規制枠８００は、２群レンズユニット７００との関係で、径方向に、距離Ｄ３の隙間を有する。即ち、距離Ｄ３は、２群回転規制リブ８５１の内周面８５１ｂと２群回転規制溝７５１の底面７５１ｂとの距離である。
【００５２】
そして、１群レンズユニット６００の第３カムピン６２１がカム筒５００の第３カム溝５２１から外れるのを防止するため、以下の式（１）を満足する。
【００５３】
Ｄ１＞Ｄ２＋Ｄ３  ・・・（１）
更に、図１０に示すように、外周側から、第３カム溝５２１に対して第３カムピン６２１が係合し、１群回転規制リブ６４１に対して１群回転規制溝８４１が係合し、２群回転規制リブ８５１に対して２群回転規制溝７５１が係合する。そして、１群レンズユニット６００が内周側へ押圧された場合、１群レンズユニット６００を回転規制枠８００が支え、回転規制枠８００を２群レンズユニット７００が支える。この構成により、レンズ鏡筒の耐衝撃性が向上する。また、２群回転規制リブ８５１は、接触面８５１ａにより、２群レンズユニット７００の回転を規制するとともに、外周側に形成された１群回転規制溝８４１により、１群レンズユニット６００の回転を規制するように、同時に２つの部材の回転を規制することでレンズ鏡筒の小型化に寄与する。
【００５４】
ここで、図１０に示すように、摺動面８４１ａの周方向の幅は、接触面８５１ａの周方向幅よりも狭い。
【００５５】
なお、上記は、第３カムピン６２１付近の構成についての説明であるが、第３カムピン６２２付近における１群回転規制リブ６４２、２群回転規制溝７５２、１群回転規制溝８４２、２群回転規制リブ８５２の構成及び第３カムピン６２３付近における１群回転規制リブ６４３、２群回転規制溝７５３、１群回転規制溝８４３、２群回転規制リブ８５３の構成についても同様である。
【００５６】
［４．変形例（図１１）］
図１１は、変形例における第３カムピン６２１付近の拡大図である。外周側から内周側に向かって、カム筒５００、１群レンズユニット６００、回転規制枠８００、２群レンズユニット７００が配置されている。カム筒５００は、内周面に、第３カム溝５２１を有する。１群レンズユニット６００は、外周面に、第３カムピン６２１を有する。第３カムピン６２１は、第３カム溝５２１と係合する。以上の点は、図１０と同じである。しかし、図１０とは、１群レンズユニット６００、２群レンズユニット７００及び回転規制枠８００に設けられる回転規制リブと回転規制溝との関係が逆になっている。
【００５７】
即ち、１群レンズユニット６００は、第３カムピン６２１と径方向に対向する内周の位置に、１群回転規制溝６４４を有する。１群回転規制溝６４４は、凸部６８４に挟まれた部分であり、２つの摺動面６４４ａと、２つの摺動面６４４ａを繋ぐ底面６４４ｂを有する。１群回転規制溝６４４は、図１０に示す１群回転規制リブ６４１の凹部６９１と同様に、光軸方向と略平行に設けられる。
【００５８】
図１１に示すように、回転規制枠８００は、１群回転規制リブ８４４と、１群回転規制リブ８４４の内周側に設けられる２群回転規制溝８５４を有する。１群回転規制リブ８４４は、２つの接触面８４４ａと、２つの接触面８４４ａを繋ぐ外周面８４４ｂを有し、１群レンズユニット６００の１群回転規制溝６４４と係合する。即ち、２つの接触面８４４ａは、１群回転規制溝６４４の摺動面６４４ａと接触して移動可能である。２群回転規制溝８５４は、２つの摺動面８５４ａと、２つの摺動面８５４ａを繋ぐ底面８５４ｂを有する。
【００５９】
２群レンズユニット７００は、外周面に、凹部７９４と、凹部７９４に外周側に形成される２群回転規制リブ７５４を有する。２群回転規制リブ７５４は、凸形状であり、２つの接触面７５４ａと、２つの接触面７５４ａを繋ぐ外周面７５４ｂを有する。２群回転規制リブ７５４は、２群回転規制溝８５４と係合する。即ち、接触面７５４ａが２群回転規制溝８５４の摺動面８５４ａと接触して移動可能である。
【００６０】
ここで、図１１に示すように、カム筒５００の第３カム溝５２１は１群レンズユニット６００の第３カムピン６２１と係合することによって、カム筒５００と１群レンズユニット６００とは、径方向（Ｌ１方向）に、距離Ｄ１の係合関係を有する。また、１群レンズユニット６００は、回転規制枠８００との関係で、径方向に、距離Ｄ４の隙間を有する。
【００６１】
即ち、距離Ｄ４は、１群回転規制溝６４４の底面６４４ｂと１群回転規制リブ８４４の外周面８４４ｂとの距離である。また、回転規制枠８００は、２群レンズユニット７００との関係で、径方向に、距離Ｄ５の隙間を有する。即ち、距離Ｄ５は、２群回転規制溝８５４の底面８５４ｂと２群回転規制リブ７５４の外周面７５４ｂとの距離である。
【００６２】
そして、１群レンズユニット６００の第３カムピン６２１がカム筒５００の第３カム溝５２１から外れるのを防止するため、以下の式（２）を満足する。
【００６３】
Ｄ１＞Ｄ４＋Ｄ５  ・・・（２）
更に、図１１に示すように、外周側から、第３カム溝５２１に対して第３カムピン６２１が係合し、１群回転規制溝６４４に対して１群回転規制リブ８４４が係合し、２群回転規制溝８５４に対して２群回転規制リブ７５４が係合する。そして、１群レンズユニット６００が内周側へ押圧された場合、１群レンズユニット６００を回転規制枠８００が支え、回転規制枠８００を２群レンズユニット７００が支える。この構成により、レンズ鏡筒の耐衝撃性が向上する。また、１群回転規制リブ８４４は、接触面８４４ａにより、１群レンズユニット６００の回転を規制するとともに、内周側に形成された２群回転規制溝８５４により、２群レンズユニット７００の回転を規制するように、同時に２つの部材の回転を規制することでレンズ鏡筒の小型化に寄与する。
【００６４】
ここで、図１１に示すように、接触面８４４ａの周方向の幅は、摺動面８５４ａの周方向幅よりも広い。
【００６５】
なお、上記は、変形例における第３カムピン６２１付近の構成についての説明であるが、第３カムピン６２２付近における１群回転規制溝、凸部、２群回転規制リブ、凹部、１群回転規制リブ、２群回転規制溝の構成及び第３カムピン６２３付近における１群回転規制溝、凸部、２群回転規制リブ、凹部、１群回転規制リブ、２群回転規制溝の構成についても同様である。
【００６６】
また、１群回転規制溝６４４及び２群回転規制リブ７５４はガイド部の一例である。
【００６７】
［５．まとめ］
上記のように、鏡筒内部に回転規制溝を有する回転規制リブ（例えば、２群回転規制リブ８５１、１群回転規制リブ８４４）を設けることにより、２群レンズユニット７００の回転規制と１群レンズユニット６００の回転規制が可能となる。そのため、レンズ鏡筒の径方向の部品が削減され、レンズ鏡筒の小径化が実現される。
【００６８】
また、カム筒５００に対して係合される、第３カムピン６２１及び第４カムピン７３１が略同位相に配置されている。即ち、第３カムピン６２１と第４カムピン７３１とは、周方向において、近傍に配置される。これにより、負荷の力点と作用点との距離を短くできるので、こじり負荷を軽減できる。結果、小型なレンズ鏡筒でありながらスムーズな動作を実現できる。
【００６９】
例えば、カム筒５００の回転動作によって、第３カムピン６２１及び第４カムピン７３１が周方向に負荷を受ける。図１０に示す実施の形態では、第３カムピン６２１に対する負荷は、１群回転規制リブ６４１を介して１群回転規制溝８４１に伝わり、２群回転規制リブ８５１に伝わる。一方、第４カムピン７３１に対する負荷は、２群回転規制溝７５１を介して２群回転規制リブ８５１に伝わる。カム筒５００は、固定枠２００に対して相対的に回転しており、２群回転規制リブ８５１に伝わった回転力は回転規制キー８１１と固定枠回転規制溝２１１との係合部に伝達されることになる。
【００７０】
また、図１１に示す変形例では、第３カムピン６２１に対する負荷は、１群回転規制溝６４４を介して１群回転規制リブ８４４に伝わり、２群回転規制溝８５４に伝わる。一方、第４カムピン７３１に対する負荷は、２群回転規制リブ７５４を介して２群回転規制溝８５４に伝わる。カム筒５００は、固定枠２００に対して相対的に回転しており、２群回転規制溝８５４に伝わった回転力は回転規制キー８１１と固定枠回転規制溝２１１との係合部に伝達されることになる。
【００７１】
このように、本実施の形態では、第３カムピン６２１と第４カムピン７３１の距離をなるべく短くしているので、負荷の力点と作用点との距離が短いため、回転規制キー８１１と固定枠回転規制溝２１１との係合部のこじり負荷が軽減される。第３カムピン６２２と第４カムピン７３２及び第３カムピン６２３と第４カムピン７３３との関係についても同様である。
【００７２】
さらに、レンズ鏡筒への被写体側からの衝撃による外力が発生した場合、レンズ鏡筒の破損が軽減される。例えば、第３カムピン６２１が第３カム溝５２１から脱落する向き、即ちレンズ鏡筒の内側向きへ１群レンズユニット６００が変形すると、図１０に示す実施の形態では、１群回転規制リブ６４１の内周面６４１ｂと１群回転規制溝８４１の底面８４１ｂとが当接し、２群回転規制リブ８５１の内周面８５１ｂと２群回転規制溝７５１の底面７５１ｂとが当接する。また、図１１に示す変形例では、１群回転規制溝６４４の底面６４４ｂと１群回転規制リブ８４４の外周面８４４ｂとが当接し、２群回転規制溝８５４の底面８５４ｂと２群回転規制リブ７５４の外周面７５４ｂとが当接する。これによって、１群レンズユニット６００の変形を回転規制枠８００と２群レンズユニット７００で防止するので耐衝撃性の高いレンズ鏡筒を実現できる。つまり、回転規制枠８００のように厚みが薄く、強度が低いリブ構造であっても、回転規制枠８００を１群レンズユニット６００と２群レンズユニット７００で挟んで配置することで、レンズ鏡筒の耐衝撃強度を確保することが可能となる。
【００７３】
また、１群回転規制溝８４１は、光軸方向において、回転規制キー８１１と略同じ位置まで延設されている。これによって、１群レンズユニット６００が回転規制枠８００に対して光軸方向に相対的に移動しても、沈胴長を小さく維持したまま１群回転規制リブ６４１と１群回転規制溝８４１の接触面積を多く確保できるため、より耐衝撃性に優れたレンズ鏡筒を実現できる。１群回転規制リブ６４２と１群回転規制溝８４２及び１群回転規制リブ６４２と１群回転規制溝８４２との関係についても同様である。
【００７４】
なお、１群回転規制溝８４１を径方向に延設すれば、例えば、第３カムピン６２１が１群レンズユニット６００とは別部材であり、１群レンズユニット６００に圧入などにより固定される場合であっても、径方向において１群回転規制リブ６４１まで圧入代を確保できるため、より強度の高いカムピンを構成することができる。第３カムピン６２２と１群回転規制リブ６４２及び第３カムピン６２３と１群回転規制リブ６４３との関係についても同様である。
【００７５】
（実施の形態２）
図１２は、２群レンズユニット７００に金属部材７９０を取り付けた構成を示す斜視図である。金属部材７９０は、図５に示す２群レンズユニット７００の内側の被写体側端部に設けられる。金属部材７９０は、３つの２群回転規制溝７５１、７５２、７５３が形成される突出部の内周側に配置され、位置決めされ、ビス留めされる。金属部材７９０は、例えば、アルミニウム、ＳＵＳ（ステンレス鋼）、真鍮などで構成される。金属部材７９０は、２群回転規制溝７５１、７５２、７５３が内周側に曲がるのを軽減するために設けられる。金属部材７９０が設けられることにより、２群回転規制溝７５１、７５２、７５３の内周側への撓みが軽減され、２群レンズユニット７００及びレンズ鏡筒の耐衝撃性がより高くなる。
【００７６】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。
【００７７】
例えば、実施の形態１では、第３カム溝、第４カム溝、第３カムピン、第４カムピン、固定枠回転規制溝、１群回転規制溝、２群回転規制溝、１群回転規制リブ、２群回転規制リブ、回転規制キーについて、それぞれ３つずつ、周方向に実質的に均等に設けられているが、これに限らない。これらの構成要素は、周方向に均等でなくてもよく、また、３つではなく、１つ又は２つでもよいし、４つ以上でもよく、高精度に各レンズ群を移動可能に支持できればよい。
【００７８】
以上のように、本開示における技術の例示として、実施の形態を説明した。そのために、添付図面および詳細な説明を提供した。
【００７９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８０】
また、上述の実施の形態は、本開示における技術を例示するためのものであるから、請求の範囲またはその均等の範囲において種々の変更、置き換え、付加、省略などを行うことができる。
【産業上の利用可能性】
【００８１】
本開示は、レンズ鏡筒及びレンズ鏡筒を備える撮像装置に適用可能である。具体的には、デジタルスチルカメラ、ムービー、カメラ機能付き携帯電話機、スマートフォンなどに用いられるレンズ鏡筒に、本開示は適用可能である。また、一眼レフ、ミラーレスカメラなどに用いられる交換レンズに、本開示は適用可能である。
【符号の説明】
【００８２】
Ｇ１    第１レンズ群
Ｇ２    第２レンズ群
Ｇ３    第３レンズ群
Ｇ４    第４レンズ群
１００    ズームリング
１０４    ズーム駆動溝
２００    固定枠
２０１    第１カム溝
２０２    第２カム溝
２０３    貫通カム溝
２１１，２１２，２１３    固定枠回転規制溝
３００    ３／４群レンズユニット
４００    後枠
５００    カム筒
５０１    第１カムピン
５０２    第２カムピン
５０３    貫通カムピン
５０４    ズーム駆動ピン
５２０，５２１，５２２，５２３    第３カム溝
５３０    第４カム溝
５６０    バヨネット溝
６００    １群レンズユニット
６２１，６２２，６２３    第３カムピン
６４１，６４２，６４３，８４４    １群回転規制リブ
６４４，８４１，８４２，８４３    １群回転規制溝
６８１，６８４    凸部
６９１，７９４    凹部
７００    ２群レンズユニット
７３１，７３２，７３３    第４カムピン
７５１，７５２，７５３，８５４    ２群回転規制溝
７５４，８５１，８５２，８５３    ２群回転規制リブ
７９０    金属部材
８００    回転規制枠
８１０    フランジ
８１１，８１２，８１３    回転規制キー
８６０    バヨネットキー
９００    レンズマウント
【手続補正２】
【補正対象書類名】特許請求の範囲
【補正対象項目名】全文
【補正方法】変更
【補正の内容】
【特許請求の範囲】
【請求項１】
回転規制リブが設けられるガイド枠と、
前記回転規制リブの外側で係合される第１ガイド部を有し、前記回転規制リブによって相対的な回転が規制され、光軸方向の移動が可能な１群枠と、
前記回転規制リブの内側で係合される第２ガイド部を有し、前記回転規制リブによって相対的な回転が規制され、光軸方向の移動が可能な２群枠と、
を備えるレンズ鏡筒。
【請求項２】
前記１群枠の外周面には、カムピンが形成され、
前記カムピンは、前記１群枠の外周に設けられるカム筒に係合される、
請求項１に記載のレンズ鏡筒。
【請求項３】
前記回転規制リブ、前記第１ガイド部、前記第２ガイド部、及び、前記カムピンは、略同位相に設けられる、
請求項２に記載のレンズ鏡筒。
【請求項４】
前記１群枠の外周面に第１カムピンが設けられ、
前記２群枠の外周面に第２カムピンが設けられ、
前記第１カムピンと前記第２カムピンは、前記１群枠の外周側に設けられるカム筒に係合し、
前記第１カムピンと前記第２ガイド部は略同位相に設けられ、
前記第２カムピンは、前記第２ガイド部を形成する壁に設けられる、
請求項１に記載のレンズ鏡筒。
【手続補正３】
【補正対象書類名】図面
【補正対象項目名】全図
【補正方法】変更
【補正の内容】
【図２】
2015049813.tif 000017
【図３】
2015049813.tif 000018
【図４】
2015049813.tif 000019
【図５】
2015049813.tif 000020
【図６Ａ】
2015049813.tif 000021
【図６Ｂ】
2015049813.tif 000022
【図７】
2015049813.tif 000023
【図８】
2015049813.tif 000024
【図９Ａ】
2015049813.tif 000025
【図９Ｂ】
2015049813.tif 000026
【図１０】
2015049813.tif 000027
【図１１】
2015049813.tif 000028
【図１２】
2015049813.tif 000029
【図１】
2015049813.tif 000030
【国際調査報告】
2015049813.tif 000031
2015049813.tif 000032